(57)【要約】      （修正有）【課題】浴槽，暖房等の昇温利用部についても、ボイラーの排熱を利用でき、コンパクトで維持管理が容易な排熱回収エネルギー高効率分配装置を提供する。【解決手段】給湯部４とボイラー１，２との間に給湯用主循環水路４３を設けるとともに、昇温利用部６とボイラーとの間に昇温用主循環水路６３を設け、ボイラーの排気管に排熱回収手段７を設置する。この排熱回収手段と排熱回収水槽８との間に排熱回収循環水路７１を設け、給湯部と排熱回収水槽との間に熱交換手段８１４を介して給湯用排熱利用循環水路４８を設け、給湯部に、ボイラーの排熱とボイラーの燃焼熱とを選択的に利用できるようにし、昇温用主循環水路の途中に分岐して、排熱回収水槽との間に熱交換手段を介して昇温用排熱利用循環水路を設置し、昇温利用部に、ボイラーの排熱と燃焼熱とを選択的に利用できるようにした。【選択図】図１
2011058736.tif 000002
【特許請求の範囲】
【請求項１】
ボイラーと排熱回収水槽と給湯部と昇温利用部とを備え、前記給湯部と前記ボイラーとの間に給湯用主循環水路を設けるとともに前記昇温利用部と前記ボイラーとの間に昇温用主循環水路を設け、前記ボイラーの排気管に排熱回収手段を設置するとともにこの排熱回収手段と前記排熱回収水槽との間に排熱回収循環水路を設け、
前記給湯部と前記排熱回収水槽との間に熱交換手段を介して給湯用排熱利用循環水路を設け、前記給湯部に、前記ボイラーの排熱と前記ボイラーの燃焼熱とを選択的に利用できるようにし、
且つ、前記昇温用主循環水路の途中に分岐して、前記排熱回収水槽との間に熱交換手段を介して昇温用排熱利用循環水路を設置し、前記昇温利用部に、前記ボイラーの排熱と前記ボイラーの燃焼熱とを選択的に利用できるようにしたことを特徴とする排熱回収エネルギー高効率分配装置。
【請求項２】
前記給湯部に補給水供給路を設置し、この補給水供給路と前記排熱回収水槽との間に熱交換手段を介して補給水用排熱利用水路を設け、補給水を前記ボイラーの排熱によって加熱可能としたことを特徴とする請求項１の排熱回収エネルギー高効率分配装置。
【請求項３】
前記補給水用排熱利用水路の補給水を前記給湯用排熱利用循環水路の循環水よりも優先的に、排熱によって加熱可能としたことを特徴とする請求項２の排熱回収エネルギー高効率分配装置。
【請求項４】
前記給湯用排熱利用循環水路と前記昇温用排熱利用循環水路とが前記排熱回収水槽と各々の熱交換手段を介して独立して設置されていることを特徴とする請求項１，請求項２又は請求項３の排熱回収エネルギー高効率分配装置。
【請求項５】
前記給湯用排熱利用循環水路として、前記給湯用主循環水路の途中に分岐して設置し、
前記給湯用排熱利用循環水路の熱交換手段として、前記給湯用排熱利用循環水路の一部を前記排熱回収水槽内に通過させることにより前記給湯用排熱利用循環水路の循環水と前記熱回収水槽内の温水との間で熱交換可能とし、且つ、前記昇温用排熱利用循環水路の熱交換手段として、前記昇温用排熱利用循環水路の一部を前記排熱回収水槽内に通過させることにより前記昇温用排熱利用循環水路の循環水と前記熱回収水槽内の温水との間で熱交換可能とし、前記補給水用排熱利用水路の熱交換手段として、前記補給水供給路の途中に分岐して前記補給水用排熱利用水路を設置し、この前記補給水用排熱利用水路の一部を前記排熱回収水槽内に通過させることにより前記補給水用排熱利用水路の補給水と前記熱回収水槽内の温水との間で熱交換可能としたことを特徴とする請求項３の排熱回収エネルギー高効率分配装置。
【発明の詳細な説明】
【技術分野】
【０００１】
この発明は、循環水加熱システムに関し、カラン等への給湯装置、浴槽等の昇温装置、暖房装置（昇温装置）等における循環水を加熱する際に使用されるものである。
【背景技術】
【０００２】
従来におけるこの種の循環水加熱システムにおいては、図４に示すように、給湯部４の貯湯槽41とボイラー１，２との間に給湯用主循環水路４３を設けるとともに浴槽５等又は暖房６等の昇温利用部とボイラー１，２との間に昇温用（暖房用を含む）主循環水路53,63 を設け、前記ボイラー１，２の排気管3(11,21 ）に排熱回収手段７を設置するとともにこの排熱回収手段７と前記排熱回収水槽８との間に排熱回収循環水路71を設け、且つ、前記貯湯槽41に給湯用排熱利用循環水路48を設け、この給湯用排熱利用循環水路48を流れる循環水を熱交換器９を介して前記排熱回収水槽８の温水との間で熱交換可能とし、前記貯湯槽41に、前記ボイラー１，２の排熱と前記ボイラー１，２の燃焼熱とを選択的に利用できるようにしていた。  なお、91は前記排熱回収水槽８の温水を、前記熱交換手器９に送るポンプである。   
【０００３】
【特許文献１】特開２００３−３０２１００公報
【発明の開示】
【発明が解決しようとする課題】
【０００４】
ところで、従来は、給湯部４のみについてボイラー１，２の排熱を利用をしていたが、発明者は、浴槽５，暖房６等の昇温利用部についても、ボイラーの排熱を利用することができないものかと考えた。
【０００５】
この発明の課題は、浴槽５，暖房６等の昇温利用部についても、ボイラーの排熱を利用でき、且つ、コンパクトで維持管理が容易な排熱回収エネルギー高効率分配装置を提供することである。
【課題を解決するための手段】
【０００６】
この発明に係る排熱回収エネルギー高効率分配装置においては、ボイラーと排熱回収水槽と給湯部と昇温利用部とを備え、前記給湯部と前記ボイラーとの間に給湯用主循環水路を設けるとともに前記昇温利用部と前記ボイラーとの間に昇温用主循環水路を設け、前記ボイラーの排気管に排熱回収手段を設置するとともにこの排熱回収手段と前記排熱回収水槽との間に排熱回収循環水路を設け、
前記給湯部と前記排熱回収水槽との間に熱交換手段を介して給湯用排熱利用循環水路を設け、前記給湯部に、前記ボイラーの排熱と前記ボイラーの燃焼熱とを選択的に利用できるようにし、
且つ、前記昇温用主循環水路の途中に分岐して、前記排熱回収水槽との間に熱交換手段を介して昇温用排熱利用循環水路を設置し、前記昇温利用部に、前記ボイラーの排熱と前記ボイラーの燃焼熱とを選択的に利用できるようにしたものである。
【０００７】
この場合、前記給湯部に補給水供給路を設置し、この補給水供給路と前記排熱回収水槽との間に熱交換手段を介して補給水用排熱利用水路を設け、補給水を前記ボイラーの排熱によって加熱可能とすることもできる。
【０００８】
さらに、この場合、前記補給水用排熱利用水路の補給水を前記給湯用排熱利用循環水路の循環水よりも優先的に、排熱によって加熱可能とすることもできる。
【０００９】
また、前記給湯用排熱利用循環水路と前記昇温用排熱利用循環水路とが前記排熱回収水槽と各々の熱交換手段を介して独立して設置することもできる。
【００１０】
また、前記給湯用排熱利用循環水路として、前記給湯用主循環水路の途中に分岐して設置し、
前記給湯用排熱利用循環水路の熱交換手段として、前記給湯用排熱利用循環水路の一部を前記排熱回収水槽内に通過させることにより前記給湯用排熱利用循環水路の循環水と前記熱回収水槽内の温水との間で熱交換可能とし、且つ、前記昇温用排熱利用循環水路の熱交換手段として、前記昇温用排熱利用循環水路の一部を前記排熱回収水槽内に通過させることにより前記昇温用排熱利用循環水路の循環水と前記熱回収水槽内の温水との間で熱交換可能とし、前記補給水用排熱利用水路の熱交換手段として、前記補給水供給路の途中に分岐して前記補給水用排熱利用水路を設置し、この前記補給水用排熱利用水路の一部を前記排熱回収水槽内に通過させることにより前記補給水用排熱利用水路の補給水と前記熱回収水槽内の温水との間で熱交換可能することもできる。
【発明の効果】
【００１１】
この発明に係る排熱回収エネルギー高効率分配装置は上記のように構成されているため、即ち、ボイラーと排熱回収水槽と給湯部と昇温利用部とを備え、前記給湯部と前記ボイラーとの間に給湯用主循環水路を設けるとともに前記昇温利用部と前記ボイラーとの間に昇温用主循環水路を設け、前記ボイラーの排気管に排熱回収手段を設置するとともにこの排熱回収手段と前記排熱回収水槽との間に排熱回収循環水路を設け、
前記給湯部と前記排熱回収水槽との間に熱交換手段を介して給湯用排熱利用循環水路を設け、前記給湯部に、前記ボイラーの排熱と前記ボイラーの燃焼熱とを選択的に利用できるようにし、
且つ、前記昇温用主循環水路の途中に分岐して、前記排熱回収水槽との間に熱交換手段を介して昇温用排熱利用循環水路を設置し、前記昇温利用部に、前記ボイラーの排熱と前記ボイラーの燃焼熱とを選択的に利用できるようにしたため、前記昇温利用部への循環水はボイラーの排熱を利用するにあたって、昇温用主循環水路の一部を利用することができる結果、装置自体をコンパクトにすることができる。
【００１２】
よって、この排熱回収エネルギー高効率分配装置を使用すれば、浴槽，暖房等の昇温利用部についても、ボイラーの排熱を利用でき、且つ、コンパクトで維持管理が容易な排熱回収エネルギー高効率分配装置を提供することができる。
【００１３】
この場合、前記給湯部に補給水供給路を設置し、この補給水供給路と前記排熱回収水槽との間に熱交換手段を介して補給水用排熱利用水路を設け、補給水を前記ボイラーの排熱によって加熱可能とすることができるようにすれば、ボイラーの排熱を利用して給湯部への補給水を加熱することができるため、給湯部の貯留水の温度は下降しにくく、排熱の有効利用は更に高まるものである。
【００１４】
さらに、この場合、前記補給水用排熱利用水路の補給水を前記給湯用排熱利用循環水路の循環水よりも優先的に、排熱によって加熱可能とすれば、より大がかりな前記給湯用排熱利用循環水路の循環水の作動時間が少なくなるため、装置自体の維持管理がしやすいものである。
【００１５】
また、前記給湯用排熱利用循環水路と前記昇温用排熱利用循環水路とが前記排熱回収水槽と各々の熱交換手段を介して独立して設置すれば、各々の熱交換手段に前記熱回収水槽の温水が独立して並列に循環するため、一定温度の温水が各々の熱交換手段に供給される結果、各々の熱交換手段を直列に循環させる場合と異なり、それぞれの循環水は一定の水温で、各々の熱交換手段についてそれぞれ熱交換の機能を果たすことができるものである。
【００１６】
また、前記給湯用排熱利用循環水路として、前記給湯用主循環水路の途中に分岐して設置し、
前記給湯用排熱利用循環水路の熱交換手段として、前記給湯用排熱利用循環水路の一部を前記排熱回収水槽内に通過させることにより前記給湯用排熱利用循環水路の循環水と前記熱回収水槽内の温水との間で熱交換可能とし、且つ、前記昇温用排熱利用循環水路の熱交換手段として、前記昇温用排熱利用循環水路の一部を前記排熱回収水槽内に通過させることにより前記昇温用排熱利用循環水路の循環水と前記熱回収水槽内の温水との間で熱交換可能とし、前記補給水用排熱利用水路の熱交換手段として、前記補給水供給路の途中に分岐して前記補給水用排熱利用水路を設置し、この前記補給水用排熱利用水路の一部を前記排熱回収水槽内に通過させることにより前記補給水用排熱利用水路の補給水と前記熱回収水槽内の温水との間で熱交換可能とすれば、
排熱回収水槽内を給湯用排熱利用循環水路の循環水，昇温用排熱利用循環水路の循環水および補給水用排熱利用水路の補給水が循環するのみで温水との熱交換ができる結果、即ち、別途に熱交換器を設置して、この熱交換器に前記温水をポンプの作動によって還流していた従来と異なり、還流してくる各々の還流水が排熱回収水槽内で合流することはないため、この排熱回収水槽内の水温は緩やかに変動し且つムラがない結果、給湯用排熱利用循環水路の循環水，昇温用排熱利用循環水路の循環水および補給水用排熱利用水路の補給水を必要とする温度に昇温しやすいものである。
【００１７】
よって、給湯部以外の浴槽，暖房等の昇温利用部および給湯部への補給水の昇温についてボイラーの排熱を利用をするにあたって、一つの排熱回収水槽を使用するのみでよいとともに従来必要とした温水送りポンプ（熱交換機への温水還流のための）を設置する必要がないため、従来案よりも設置スペースが狭くてよいとともに設置コストを低額化させることができるものである。
【発明を実施するための最良の形態】
【００１８】
この発明に係る排熱回収エネルギー高効率分配装置は、ボイラーと排熱回収水槽と給湯部と昇温利用部とを備えている。前記給湯部と前記ボイラーとの間に給湯用主循環水路を設けるとともに前記昇温利用部と前記ボイラーとの間に昇温用主循環水路を設け、前記ボイラーの排気管に排熱回収手段を設置する。この排熱回収手段と前記排熱回収水槽との間に排熱回収循環水路を設ける。
前記給湯部と前記排熱回収水槽との間に熱交換手段を介して給湯用排熱利用循環水路を設け、前記給湯部に、前記ボイラーの排熱と前記ボイラーの燃焼熱とを選択的に利用できるようにする。                                                                      前記昇温用主循環水路の途中に分岐して、前記排熱回収水槽との間に熱交換手段を介して昇温用排熱利用循環水路を設置し、前記昇温利用部に、前記ボイラーの排熱と前記ボイラーの燃焼熱とを選択的に利用できるようにする。
前記給湯部に補給水供給路を設置する。この補給水供給路と前記排熱回収水槽との間に熱交換手段を介して給湯用排熱利用循環水路を設け、補給水を前記ボイラーの排熱によって加熱可能とする。
前記補給水用排熱利用水路の補給水を前記給湯用排熱利用循環水路の循環水よりも優先的に、排熱によって加熱可能とする。
前記給湯用排熱利用循環水路と前記昇温用排熱利用循環水路とが前記排熱回収水槽と各々の熱交換手段を介して独立して設置する。
前記給湯用排熱利用循環水路として、前記給湯用主循環水路の途中に分岐して設置する。                                                                                前記給湯用排熱利用循環水路の熱交換手段として、前記給湯用排熱利用循環水路の一部を前記排熱回収水槽内に通過させることにより前記給湯用排熱利用循環水路の循環水と前記熱回収水槽内の温水との間で熱交換可能とする。且つ、前記昇温用排熱利用循環水路の熱交換手段として、前記昇温用排熱利用循環水路の一部を前記排熱回収水槽内に通過させることにより前記昇温用排熱利用循環水路の循環水と前記熱回収水槽内の温水との間で熱交換可能とする。前記補給水用排熱利用水路の熱交換手段として、前記補給水供給路の途中に分岐して前記補給水用排熱利用水路を設置する。この前記補給水用排熱利用水路の一部を前記排熱回収水槽内に通過させることにより前記補給水用排熱利用水路の補給水と前記熱回収水槽内の温水との間で熱交換可能とする。
以上の構成に最も主要な特徴を有する。
【実施例】
【００１９】
以下、この発明の実施例を図面に基づいて説明する。
【００２０】
図１はこの発明に係る循環水加熱システムの第一実施例のフローシート図、図２は同第二実施例のフローシート図、図３は同第三実施例のフローシート図、図４は相応する従来例のフローシート図である。
【００２１】
図１において、Ｓは排熱回収エネルギー高効率分配装置、１はこの装置Ｓの第一ボイラー，２は同第二ボイラーである。11は第一ボイラー１の排気管，21は第二ボイラー２の排気管である。これらの排気管11,21 は主排気管３に繋がり、各々の燃焼排気ガスは合流し、この主排気管３を介して排出される。
【００２２】
４は給湯部、41はその貯湯槽である。この貯湯槽41と前記第一ボイラー１及び前記第二ボイラー２との間には、給湯用主循環水路43が設置されている。この給湯用主循環水路43を介して、ポンプ44の作動により、循環水は、前記貯湯槽41と前記第一ボイラー１及び前記第二ボイラー２との間を循環する。そして、循環する際に、前記第一ボイラー１及び前記第二ボイラー２によって加熱昇温され、この加熱昇温された循環水は前記貯湯槽41の温水を加熱する。45,45 はカラン等の給湯器であり、前記貯湯槽41から湯が供給される。46,46 はミキシングバルブであり、前記貯湯槽41から湯と上水からの水を混合して、カラン等45,45 等から給水する。
【００２３】
５は、浴槽等51の昇温手段（この発明の「昇温利用部」に相当する）、52はその熱交換器である。この熱交換器52と前記第一ボイラー１との間には、昇温用主循環水路53が設置されている。この昇温用主循環水路53を介して、ポンプ54の作動により、循環水は、前記熱交換器（浴槽等51用）52と前記第一ボイラー１との間を循環する。そして、循環する際に、前記第一ボイラー１によって加熱昇温され、この加熱昇温された循環水は前記熱交換器52を介して、浴槽水と熱交換し、浴槽水を昇温させる。なお、 55 は浴槽水の循環ポンプ、56はろ過器、57は除毛器である。
【００２４】
６は暖房手段（この発明の「昇温利用部」に相当する）である。この暖房手段６と前記第二ボイラー２との間には、暖房用主循環水路（この発明の「昇温用主循環水路」に相当する）63が設置されている。この暖房用主循環水路63を介して、ポンプ64の作動により、循環水は、前記暖房手段６と前記第二ボイラー２との間を循環する。そして、循環する際に、前記第二ボイラー２によって加熱昇温され、この加熱昇温された循環水は暖房手段６に供給される。
【００２５】
次に、７は排熱回収装置（この発明の「排熱回収手段」に相当する）であり、前記主排気管３に設置されている。また、８は排熱回収水槽であり、水が収容されている。この排熱回収水槽８の水は、排熱回収循環水路71を介して、ポンプ72の作動により、前記排熱回収装置７との間を循環する。そして、排熱回収装置７を通過する際に加熱昇温され、温水となる。なお、81は、前記排熱回収水槽８，貯水槽41およびカラン45への補給水供給路、82はオーバーフロー水排水路である。また、83は水位レベル計、84は測温抵抗体であり、その作用は後記する。
【００２６】
48は給湯用排熱利用循環水路であり、前記貯湯槽（給湯部４）41と熱交換器９との間を循環している。この熱交換器９にはポンプ91の作動によって前記排熱回収水槽８の温水が循環し、前記給湯用排熱利用循環水路48を流れる循環水との間で熱交換が行われる。
【００２７】
なお、給湯用主循環水路43の循環水の温度が適温でない信号を測温抵抗体49が発信し、且つ、前記排熱回収水槽８の温水の温度が一定以上（例えば、６５°Ｃ以上）の信号を測温抵抗体84が発信した場合には、Ｅ１バルブ（切替三方弁）を開放して、前記給湯用排熱利用循環水路48を循環水が流れ、熱交換器９によって加熱され前記貯湯槽（給湯部４）41に供給される。
【００２８】
また、814 は熱交換器であり、後記貯水槽用補給水供給路811 の途中に設置されている。この熱交換器814 にはポンプ813 の作動によって前記排熱回収水槽８の温水が循環し、前記貯水槽用補給水供給路811 を流れる補給水との間で熱交換が行われる。なお、前記貯湯槽（給湯部４）41のセンサーが満水の信号を発信せず、且つ、前記排熱回収水槽８の温水の温度が一定以下（例えば６５°Ｃ未満）（測温抵抗体84が測定）で補給水の温度（測温抵抗体812 が測定）が前記排熱回収水槽８の温水よりも低い場合に、Ｆ１バルブ（切替三方弁）が開放して、温水（排熱回収水槽８の）が流れ、補給水は熱交換器814 を介して加熱され前記貯湯槽（給湯部４）41に供給される。前記貯湯槽（給湯部４）41のセンサーが満水である信号を発信した場合には、Ｆ１バルブ（切替三方弁）は閉止する。なお、前記貯湯槽（給湯部４）41のセンサーが満水である信号を発信しない場合でも、前記排熱回収水槽８の温水の温度が一定未満（例えば６５°Ｃ未満）の信号を測温抵抗体84が発信した場合、又、前記補給水の温度（測温抵抗体812 が測定）が前記排熱回収水槽８の温水の温度（測温抵抗体84が測定）よりも高い場合には、Ｆ１バルブ（切替三方弁）は閉止し、熱交換器814 には前記排熱回収水槽８の温水は流れない。
【００２９】
58は昇温用排熱利用循環水路であり、Ｃ１バルブおよびＣ２バルブを介して前記昇温用主循環水路53にバイパス状に設置されている。581 は熱交換器であり、前記昇温用排熱利用循環水路58の途中に設置されている。この熱交換器581 は前記熱交換器（給湯用排熱利用循環水路の）９と直列に繋がれ、ポンプ91の作動によって前記排熱回収水槽８の温水が循環し、前記昇温用排熱利用循環水路58を流れる循環水との間で熱交換が行われ、加熱昇温される。
【００３０】
なお、昇温用主循環水路53の循環水の温度が適温でない信号を測温抵抗体59が発信し、且つ、前記排熱回収水槽８の温水の温度が一定以上（例えば６５°Ｃ以上）の信号を測温抵抗体84が発信した場合には、Ｃ１バルブ（手動切替二方弁、常時開）及びＣ２バルブ（手動切替二方弁、常時開）を通過して、昇温用主循環水路53の循環水が昇温用排熱利用循環水路58を流れ、加熱されて浴槽等51の熱交換器52に供給される。このとき、Ｃ３バルブ（切替二方弁）は閉止している。
【００３１】
昇温用主循環水路53の循環水の温度が適温である信号を測温抵抗体59が発信した場合、又は、前記排熱回収水槽８の温水の温度が一定未満（例えば６５°Ｃ未満）の信号を測温抵抗体84が発信した場合には、Ｃ１バルブ（手動切替二方弁、常時開），Ｃ２バルブ（手動切替二方弁、常時開）、Ｃ３バルブ（切替二方弁）は開放し、循環水は、昇温用排熱利用循環水路58及び主循環水路53を循環するようにしている。なお、この場合において、循環水の温度が適温である信号を測温抵抗体59が発信し、且つ、前記排熱回収水槽８の温水の温度が一定以上（例えば６５°Ｃ以上）の信号を測温抵抗体84が発信した場合には、相応するボイラー１は消火の状態である。
【００３２】
また、582 は昇温用排熱利用循環水路58と並列に設置された逃がし回路であり、昇温用排熱利用循環水路58に流れる流量を調節するためのものである。
【００３３】
68は暖房用排熱利用循環水路（この発明の「昇温用排熱利用循環水路」に相当する）であり、Ｄ１バルブおよびＤ２バルブを介して前記暖房用主循環水路63にバイパス状に設置されている。681 は熱交換器であり、前記暖房用排熱利用循環水路68の途中に設置されている。この熱交換器681 は前記熱交換器（給湯用排熱利用循環水路の）９および前記熱交換器（昇温用排熱利用循環水路）581 と直列に繋がれ、ポンプ91の作動によって前記排熱回収水槽８の温水が循環し、前記暖房用排熱利用循環水路68を流れる循環水との間で熱交換が行われ、加熱昇温される。
【００３４】
なお、暖房用主循環水路63の循環水の温度が適温でない信号を測温抵抗体69が発信し、且つ、前記排熱回収水槽８の温水の温度が一定以上（例えば６５°Ｃ以上）の信号を測温抵抗体84が発信した場合には、Ｄ１バルブ（切替二方弁、常時開）及びＤ２バルブ（切替二方弁、常時開）が開放して、暖房用主循環水路63の循環水が暖房用排熱利用循環水路68を流れ、加熱されて暖房６用の温水として供給される。このとき、Ｄ３バルブ（切替二方弁）は閉止している。
【００３５】
暖房用主循環水路63の循環水の温度が適温である信号を測温抵抗体69が発信した場合、又は、前記排熱回収水槽８の温水の温度が一定未満（６５°Ｃ未満）の信号を測温抵抗体84が発信した場合には、Ｄ１バルブ（切替二方弁、常時開），Ｄ２バルブ（切替二方弁、常時開）およびＤ３バルブ（切替二方弁）は開放し、循環水は、暖房用排熱利用循環水路68および主循環水路63を循環するようにしている。なお、この場合において、循環水の温度が適温である信号を測温抵抗体69が発信し、且つ、前記排熱回収水槽８の温水の温度が一定以上（例えば６５°Ｃ以上）の信号を測温抵抗体84が発信した場合には、相応するボイラー２は消火の状態である。
【００３６】
また、682 は暖房用排熱利用循環水路68と並列に設置された逃がし回路であり、暖房用排熱利用循環水路68に流れる流量を調節するためのものである。
【００３７】
なお、前記熱交換器9,581,681 は直列状態に繋がれているが、流れている最中に各々の加熱対象の循環水よりも温度が低くなった場合には、当該熱交換器を通過することなく前記排熱回収水槽８に戻るものである。
【００３８】
なお、Ｃ３バルブおよびＤ３バルブが流量調節弁を兼ねるようにすれば、昇温用排熱利用循環水路58又は暖房用排熱利用循環水路68で対応できない前記昇温用主循環水路53又は暖房用主循環水路63の各循環水を相応する前記前記流量調節弁（Ｃ３，Ｄ３）によって逃がすことができるため、各循環系統の配管口径に関わらず、当該システムを導入設置することができる。
【００３９】
また、この実施例では、  第一ボイラー１の排気管11と第二ボイラー２の排気管が、主排気管３に繋がり、各々の燃焼排気ガスは合流しているため、第一ボイラー１を点火していない場合には、前記排熱利用循環水路48,58,68,811に選択して循環水を流すことにより、前記第一ボイラー２の排熱を利用して主循環水路43,53,63の循環水を選択して加熱昇温することができる。また、第二ボイラー２を点火していない場合には、前記バイパス循環路48,58,68,811を選択して、設定温度に満たない循環水をを流すことにより、前記第二ボイラー２の排熱を利用して前記主循環水路43,53,63の循環水を選択的に加熱昇温することができる。
【００４０】
次に、第二実施例を図面に図２に基づいて説明する。
【００４１】
第二実施例は、第一実施例における給湯用排熱利用循環水路48の熱交換機９と昇温用排熱利用循環水路58の熱交換器581 と暖房用排熱利用循環水路68の熱交換器681 とを並列に設置したものである。各々の循環水路48,58,68,811にポンプ91,582,682,813を設置し独立した循環水路としている。このため、循環水路48,58,68,811に同時に循環水を流すこともできるが、いずれかの循環水路48,58,68,811に選択的に優先して循環水を流すこともできる。
【００４２】
次に、第三実施例を図面に図３に基づいて説明する。
【００４３】
この実施例においては、前記給湯用排熱利用循環水路48として、前記給湯用主循環水路43の途中にＢ１バルブおよびＢ２バルブを介してバイパス状に設置されている。
【００４４】
また、前記給湯用排熱利用循環水路48の熱交換手段として前記熱交換器９の代わりに、前記給湯用排熱利用循環水路48の一部を前記排熱回収水槽８内に通過させることにより前記給湯用排熱利用循環水路48の循環水と前記排熱回収水槽８内の温水との間で熱交換可能としたものである。給湯用循環水は、ポンプ44の作動によりこの給湯用排熱利用循環水路48を介して前記熱回収水槽８内を流れる際に、排熱回収水槽８内の温水と熱交換され加熱昇温され、前記給湯用主循環水路43に戻される。
【００４５】
なお、給湯用主循環水路43の循環水の温度が適温でない信号を測温抵抗体49が発信し、且つ、前記排熱回収水槽８の温水の温度が一定以上（例えば６５°Ｃ以上）の信号を測温抵抗体84が発信した場合に、Ｂ１バルブ（切替二方弁）及びＢ２バルブ（切替二方弁）が開放して、給湯用主循環水路43の循環水が給湯用排熱利用循環水路48を流れ、加熱されて給湯４用の温水として供給される。このとき、Ｂ３バルブ（切替二方弁）は閉止している。
【００４６】
給湯用主循環水路43の循環水の温度が適温である信号を測温抵抗体49が発信した場合、又は、前記排熱回収水槽８の温水の温度が一定未満（例えば６５°Ｃ未満）の信号を測温抵抗体84が発信した場合には、Ｂ１バルブ（切替二方弁），Ｂ２バルブ（切替二方弁）は閉止し、Ｂ３バルブ（切替二方弁）は開放し、給湯用排熱利用循環水路48へは循環水が迂回せず主循環水路43を循環するようにしている。なお、この場合において、循環水の温度が適温である信号を測温抵抗体49が発信し、且つ、前記排熱回収水槽８の温水の温度が一定以上（例えば６５°Ｃ以上）の信号を測温抵抗体84が発信した場合には、相応するボイラー１，２は消火の状態である。
【００４７】
また、482 は給湯用排熱利用循環水路48と並列に設置された逃がし回路であり、給湯用排熱利用循環水路48に流れる流量を調節するためのものである。
【００４８】
また、暖房用排熱利用循環水路68は、前記昇温用排熱利用循環水路58に合流し複合通過部として、前記熱回収水槽８内を通過している。即ち、前記暖房用排熱利用循環水路68と前記昇温用排熱利用循環水路58とは、前記熱回収水槽８内の通過部に対して並列に設置されているため、両循環水路58,68 に同時に循環水を流すこともできるが、この実施例では、システムの機能を確保するために、前記暖房用排熱利用循環水路68に優先して循環水を流すことにしている。もちろん、優先順位を逆にすることもできる。
【００４９】
811 は貯水槽用補給水供給路であり、前記補給水供給路81の途中に分岐した状態で、Ａ１バルブおよびＡ２バルブを介して前記給湯用排熱利用水路48に並列に繋がれている。このため、Ａ１バルブおよびＡ２バルブを開放した状態（Ｂ１バルブおよびＢ２バルブは閉止の状態）の状態でこの貯水槽用補給水供給路811 の循環水は前記熱回収水槽８内を流れる際に、排熱回収水槽８内の温水と熱交換され加熱昇温され、前記補給水供給路81に戻される。
【００５０】
なお、前記貯湯槽（給湯部４）41のセンサーが満水の信号を発信せず、且つ、前記排熱回収水槽８の温水の温度が一定以下（例えば６５°Ｃ未満）（測温抵抗体84が測定）で補給水の温度（測温抵抗体812 が測定）が前記排熱回収水槽８の温水よりも低い場合に、Ａ１バルブ（切替二方弁）及びＡ２バルブ（切替二方弁）が開放して（Ｂ１バルブおよびＢ２バルブは閉止の状態）、補給水が排熱回収水槽８内を流れ、温水（排熱回収水槽８の）によって加熱され前記貯湯槽（給湯部４）41に供給される。前記貯湯槽（給湯部４）41のセンサーが満水である信号を発信した場合には、Ａ１バルブ（切替二方弁），Ａ２バルブ（切替二方弁）は閉止する。なお、前記貯湯槽（給湯部４）41のセンサーが満水である信号を発信しない場合でも、前記排熱回収水槽８の温水の温度が一定未満（例えば６５°Ｃ未満）の信号を測温抵抗体84が発信した場合、又、前記補給水の温度（測温抵抗体812 が測定）が前記排熱回収水槽８の温水の温度（測温抵抗体84が測定）よりも高い場合には、Ａ１バルブ（切替二方弁）及びＡ２バルブ（切替三方弁）は閉止し（Ｂ１バルブおよびＢ２バルブは開放の状態）、補給水は前記排熱回収水槽８内を流れることはない。
なお、このとき、前記給湯用排熱利用循環水路48に循環水が排熱回収水槽８内を流れ、この循環水が排熱によって加熱される。
【００５１】
また、これらの実施例では、前記排熱回収水槽８の温水の温度が一定以上（例えば６５°Ｃ以上）の場合において、貯水槽用補給水供給路811 と給湯用排熱利用循環水路48のグループと前記昇温用排熱利用循環水路58と暖房用排熱利用循環水路68のグループとは並行して作動するものである。また、この場合において、前記グループにおいては、貯水槽用補給水供給路811 が優先して、後記グループにおいては、昇温用排熱利用循環水路58が優先して作動するシステムになっている。もちろん、優先順位を逆にすることもできる。
【産業上の利用可能性】
【００５２】
この発明は、給湯部以外の浴槽，暖房等の昇温利用部についても、ボイラーの排熱を利用でき、且つ、コンパクトで維持管理が容易な排熱回収エネルギー高効率分配装置を提供することができる。給湯部以外の浴槽，暖房等の昇温利用部および給湯部への補給水の昇温についてボイラーの排熱を利用をするにあたって、一つの排熱回収水槽を使用するのみでよいとともに従来必要とした温水送りポンプ（熱交換機への温水還流のための）を設置する必要がないため、従来案よりも設置スペースが狭くてよいとともに設置コストを低額化させることができる。この結果、カラン等への給湯部、浴槽、暖房等の昇温利用部等における循環水の加熱システムに利用することができる。
【図面の簡単な説明】
【００５３】
【図１】図１はこの発明に係る循環水加熱システムの第一実施例のフローシート図である。
【図２】図２は同第二実施例のフローシート図である。
【図３】図３は同第三実施例のフローシート図である。
【図４】図４は相応する従来例のフローシート図である。
【符号の説明】
【００５４】
Ｓ  …  排熱回収エネルギー高効率分配装置
１  …  第一ボイラー
２  …  第二ボイラー
11  …  第一ボイラーの排気管
21  …  第二ボイラーの排気管
３  …  主排気管
４  …  給湯部
41  …  貯湯槽
43  …  給湯用主循環水路
44  …  ポンプ
45  …  カラン等の給湯器
46  …  ミキシングバルブ
５  …  浴槽（昇温利用部）
51  …  浴槽等
52  …  熱交換器
53  …  昇温用主循環水路
54  …  ポンプ
55  …  浴槽水の循環ポンプ
56  …  ろ過器
57  …  除毛器
581     …  熱交換器
582     …  ポンプ
48  …  給湯用排熱利用循環水路
49  …  測温抵抗体
58  …  昇温用排熱利用循環水路  
59  …  測温抵抗体
６  …  暖房（昇温利用部）
63  …  暖房用主循環水路（昇温用主循環水路）
64  …  ポンプ
68  …  暖房用排熱利用循環水路
681     …  熱交換器
682     …  ポンプ
69  …  測温抵抗体
７  …  排熱回収装置（排熱回収手段）
71  …  排熱回収循環水路
72  …  ポンプ
８  …  熱回収水槽
81  …  補給水供給路
811 …  貯水槽用補給水供給路
812 …  測温抵抗体                                                              813 …  ポンプ
814 …  熱交換器
82  …  オーバーフロー水排水路
83  …  水位レベル計
84  …  測温抵抗体
91  …  温水ポンプ
【図１】
2011058736.tif 000003
【図２】
2011058736.tif 000004
【図３】
2011058736.tif 000005
【図４】
2011058736.tif 000006